(57)【要約】      （修正有）【課題】チューブ容器の再封止を簡易な構造で容易に行うことができ、かつ金型コスト等を削減して経済的に製造できるチューブ容器を提供する。【解決手段】可撓性を有する筒状胴部１とノズル部３と、このノズル部３の先端と蓋部４の後端に蓋部４をもぎ取り可能な薄肉架橋部を一体的に成形する。蓋部４内側に蓋部４をもぎ取り切離した後のノズル３の先端が密に嵌合可能な凹所４ａを形成する。ノズル部３をその先端に向かって漸次縮径するテーパー状に形成すると共に、切離後の蓋部凹所４ａの内周壁面もまたその閉塞端に向かって漸次縮径するテーパー状に形成する。【選択図】図３
0003199423.tif 000002
【実用新案登録請求の範囲】
【請求項１】
可撓性を有する筒状胴部とノズル部と、このノズル部の先端に蓋ノズル部をもぎ取り可能に一体的に成形し、蓋部内側には蓋部をもぎ取り切離した後のノズル先端が密に嵌合可能な凹所が形成されていることを特徴とするチューブ容器。
【請求項２】
ノズル部はその先端に向かって漸次縮径するテーパー状に形成されると共に、切離後の蓋部凹所の内周壁面もまたその閉塞端に向かって漸次縮径するテーパー状に形成されていることを特徴とする請求項１記載のチューブ容器。
【請求項３】
切離後の蓋部の嵌合凹所の開放端側の内径が、切離後のノズル先端外径よりも大となるように、切離前のノズル先端と蓋部後端の接合部分に半径方向に拡径する膨出段部が設けられていることを特徴とする請求項１又は請求項２記載のチューブ容器。
【考案の詳細な説明】
【技術分野】
【０００１】
本考案は、可撓性を有する透明な包装用押し出しチューブに関し、例えばカラフルなペースト状のチョコレートを封入してクッキー菓子等の表面に文字やイラストを描出してデコレーションするために使用されるチューブ容器に関するものである。
【背景技術】
【０００２】
従来から調味料等の食品、化粧料、薬品などを収容する容器として、チューブ容器が広く使用されている。このようなチューブ容器は収納した中身を押し出して使用するために一般的に可撓性材料で作られている。
【０００３】
例えば、樹脂製チューブ内側の尻部に、チューブ内径大の可動する球を設け、ノズル下部を半球状の球受けにし、チューブの中身を残らず押出して使いきることができるようにされた包装用押し出しチューブ（特許文献１参照。）。  容器本体の上端に上面を閉口した円筒状の蓋受け部を形成すると共に、この蓋受け部の外周壁に押し出し口を穿設し、蓋受け部と嵌合して蓋受け部から離脱しない蓋体を形成すると共に、この蓋体に押し出し口に適合する開閉口を穿設し、嵌め込んだ蓋体の回転によって押し出し口を開閉するようにし、一々蓋を容器から外す必要がなく、内容物を適量だけ押し出し或いは注ぎ出せ、これに係る煩わしさや面倒さといったデメリットを解消し得るもの（特許文献２参照。）。
【０００４】
こうしたチューブ容器は、筒状の胴部と口部を含む肩部（以下、ネック部という）とを一体成形した後、別途成形されたキャップを装着するように製作される。
【０００５】
本考案者らは、可撓性を有する透明なチューブ容器にカラフルなチョコレートを封入して、使用時には容器ごと湯せんして中身のチョコレートをペースト状にし、容器のノズル部からクッキー等の表面に押し出しながら文字や絵を描出してデコレーションするために使用する製品を提供している。その使用に際しては、蓋部を捩じってもぎ取り、取り出し口を開封するようにされている。
【０００６】
すなわち、合成樹脂等の可撓性材料で円筒状胴部とネック部とノズル部を一体に成形する際に、同時に蓋部もノズル部に一体にかつ容易に分離できるように射出成形して製造される。
【０００７】
このチューブ容器は、基本的には一回の使い切り仕様であり、一旦もぎ取って切離された蓋部はそのまま廃棄するものであった。このため、使い切れずに容器に残った中身のチョコレートも衛生上の観点からもそのまま廃棄せざるを得なかった。
【０００８】
そこで、この蓋部を再利用して再度密閉状態に容器を封止できれば、残存した中身の再使用も可能になる。例えば特許文献３には、チューブネック部に容易に分離できるように、かつ内容物の通路を密封するように一体に成形された蓋体を有するレトルト用チューブ容器が提案されている。そして、この考案によれば、使用時には蓋体を捩じるなどしてネック部より分離し、内容物を取り出し、使用後は分離した蓋体をネック部にねじ止めにより装着することにより再び密封することができ、繰り返し使用中も内容物の品質は良好に保持できるようにされている。
【先行技術文献】
【特許文献】
【０００９】
【特許文献１】実開平６−７２８５２号公報
【特許文献２】特開２００２−４５２２９号公報
【特許文献３】実開平７−２６３５３号公報
【考案の概要】
【考案が解決しようとする課題】
【００１０】
しかしながら、引用文献３に開示されたような螺合式の蓋体を付加するものは構造が複雑になり金型コスト等が嵩む、また、使用前のねじ部分が外気に晒された状態ではその溝条内に塵埃が付着し不衛生である。
本考案は、上記のような従来技術に鑑み、チューブ容器の再封止を簡易な構造で容易に行うことができ、かつ金型コスト等を削減して経済的に製造できるチューブ容器を提供することを目的とする。
【課題を解決するための手段】
【００１１】
このため本考案のチューブ容器は、可撓性を有する筒状胴部とノズル部と、このノズル部の先端にノズル蓋部をもぎ取り可能に一体的に成形し、ノズル蓋部内側には当該蓋部をもぎ取り切離した後のノズル先端が密に嵌合可能な凹所が形成されていることを第１の特徴とする。また、ノズル部はその先端に向かって漸次縮径するテーパー状に形成されると共に、切離後の蓋部凹所の内周壁面もまたその閉塞端に向かって漸次縮径するテーパー状に形成されていることを第２の特徴とする。さらに、切離後の蓋部の嵌合凹所の開放端側の内径が、切離後のノズル先端外径よりも大となるように、切離前のノズル先端と蓋部後端の接合部分に半径方向に拡径する膨出段部が設けられていることを第３の特徴とする。
【考案の効果】
【００１２】
本考案は下記の優れた効果を奏する。
（１）蓋体を別途形成し、これをネック部に螺着する従来品とは異なり、生産工程を大幅に合理化、省力化できるので、金型コストをはじめとする生産コストを大きく低減できる。
（２）使用に際し、蓋部をノズル部から人手でもぎ取り容易に切離できるように一体成形したので、使用時に蓋部を切離するまでは内容物が密封されており、また、使用後はその蓋部をノズル部に装着して再封止できるので、その品質を良好に保持することができる。
（３）ノズル部をその先端に向かって漸次縮径するテーパー状に形成し、切離後の蓋部凹所の内周壁面もまたその閉塞端に向かって漸次縮径するテーパー状に形成したので、特別なシール部材や複雑な構造の閉塞部材を使用することなく、切離後の蓋部をノズル先端に密に嵌合することができ、再度の湯せん処理に十分に耐え内容物の漏出を防止できる。
【図面の簡単な説明】
【００１３】
【図１】本考案に係るチューブ容器を示す（ａ）は平面図、（ｂ）は側面図である。
【図２】（ａ）はチューブ容器の要部拡大平面図、（ｂ）は図１（ａ）のＡ−Ａ線拡大断面図である。
【図３】（ａ）は蓋部を切離した状態を示す要部拡大平面図、（ｂ）はノズル部を再蓋した状態を示す要部拡大平面図である。
【図４】本考案に係るチューブ容器の使用状態を示す斜視図である。
【考案を実施するための形態】
【実施例】
【００１４】
以下、図面に示す実施例に基づいて本考案の実施の形態について詳細に説明する。
図１乃至図４に示すように、本考案のチューブ容器は、可撓性を有する六角柱状の筒状胴部１の一端（先端）に、錐形状のショルダー部２とノズル部３と、このノズル部３の先端に薄肉架橋部４ｂを介してノズル蓋部４をもぎ取り可能に一体的に成形し、他端（後端）の注入筒５から、例えばチュコレートペースト等の内容物６を充填した後、この注入筒５を熱熔着により扁平に圧着封止して使用する。すなわち、チューブ容器は、開放端である注入筒部６より内容物７が充填された後、この端部は封止される。
【００１５】
このように、チューブ容器の使用前の状態では、蓋部４がノズル部３と薄肉架橋部４ｂを介して一体に成形されているので、容器内の内容物７の通路は密封されて内容物の品質は保全されている。そして、この密封状態は湯せん処理の温度や圧力にも十分耐えることができる。
【００１６】
そして、チューブ容器のその使用に際しては、蓋部４をその鍔部５を手掛りとして人手で捩じるなどしてノズル部３より切離し、ノズル部３の取り出し口３ａを開封するようにされている。例えば、図５に示すように、内容物であるペースト状のチョコレート７をノズル部３からクッキー等の菓子８表面に押し出しながら文字や絵を描出してデコレーションする。このように内容物７を押し出し、使用後は分離した蓋部４をノズル部３に嵌合して装着することにより再び封止することができ、繰り返し使用中も内容物の品質は良好に保持することができる。
【００１７】
尚、本考案のチューブ容器は、蓋部４の薄肉架橋部４ｂによって内容物の通路を密封するようにノズル部３が一体形成され、さらに、蓋部４内側には蓋部４を切離した後のノズル３の先端が密に嵌合可能な嵌合凹所４ａが形成されている構造が重要であり、その他の事項については、とくに制限されるものではない。例えば、チューブ容器の胴部１の外周については円柱状や他角柱状、材質については、ポリプロピレン、ＰＥＴ，ＰＢＴなどのポリエステル、ポリアクリロニトリル、ポリアミド、ポリ塩化ビニル、ポリ塩化ビニリデンなどの可撓性のある合成樹脂を主体として構成されるものであればよい。
【００１８】
ノズル部３と、このノズル部３の先端と蓋部４の後端にノズル蓋部４をもぎ取り可能な薄肉架橋部４ｂを介して一体的に成形し、ノズル蓋部４内側には蓋部４を切離した後のノズル３の先端が密に嵌合可能な嵌合凹所４ａが形成されている。また、ノズル部３はその先端に向かって漸次縮径するテーパー面Ｔ１に形成されると共に、切離後の蓋部凹所４ａの内周壁面もまたその閉塞端に向かって漸次縮径するテーパー面Ｔ２が形成されている。
【００１９】
さらに、切離後の蓋部４の嵌合凹所４ａの開放端側の内径Ｄ２が、切離後のノズル先端外径Ｄ１よりも大となるように、切離前のノズル３の先端と蓋部４後端の接合部分に半径方向に拡径する膨出段部４ｃが設けられている。
【００２０】
そして、ノズル３を切離した蓋部４による閉蓋に際し、これらのテーパー面Ｔ１及びＴ２によりノズル３の外周面と蓋部４の内周面とが密着しシール性を高め確実に再封止することができる。すなわち、容器内に残った内容物７を繰り返し使用する場合も内容物７の品質を良好に保持することができる。すなわち、ノズル部３をその先端に向かって漸次縮径するテーパー状に形成し、切離後の蓋部４の凹所４ａの内周壁面もまたその閉塞端に向かって漸次縮径するテーパー状に形成したので、特別なシール部材や複雑な構造の閉塞部材を使用することなく、切離後の蓋部４をノズル３の先端に密に嵌合することができ、再度の湯せん処理にも十分に耐え内容物の漏出を防止できる。
【符号の説明】
【００２１】
１    チューブ胴体部
２    ショルダー部
３    ノズル部
３ａ  内容物の取出口
４    蓋部（蓋体）
４ａ  嵌合凹所
４ｂ  薄肉架橋部
５    鍔部
６    内容物の注入筒
７    内容物
８    菓子
Ｔ１  ノズルのテーパー面
Ｔ２  嵌合凹所のテーパー面
Ｄ１  切離後のノズル先端外径
Ｄ２  嵌合凹所の開放端側の内径
【図１】
0003199423.tif 000003
【図２】
0003199423.tif 000004
【図３】
0003199423.tif 000005
【図４】
0003199423.tif 000006